(57)【特許請求の範囲】
【請求項１】
熱交換器と、前記熱交換器の上流側に配されたフィルター装置とを有する空気調和機において、前記フィルター装置は、巻取軸と、前記巻取軸の間に亘って張設されたエアフィルターと、前記巻取軸を駆動するフィルター巻取駆動モーターと、前記エアフィルターの風上側に配され、水平方向に長手方向を持つと共に、前記エアフィルターに付着した塵埃を吸込む吸入ノズルを備え、前記吸入ノズル内に、前記吸入ノズルの長手方向に巻回駆動されるフィルムを設け、前記フィルムに、前記エアフィルターの塵埃を掻き取る埃掻き取りパットと、油分を多く含んだ塵埃を掻き取るブラシと、前記掻き取りパットと前記ブラシで掻き取った塵埃を吸込む吸引口を具備し、前記空気調和機の運転停止後に前記フィルムを巻回駆動して前記パットと前記ブラシを移動しながら掻き取った塵埃を前記吸引口に吸込ませ、前記フィルムを一旦停止させて、前記フィルター巻取駆動モーターを駆動して前記巻取軸により前記エアフィルターを巻き回して停止し、再び前記フィルムを巻回駆動して前記パットと前記ブラシを移動しながら掻き取った塵埃を前記吸引口に吸込ませる動作を繰り返し行い、前記エアフィルターの全面を自動で清掃することを特徴とする空気調和機。
【請求項２】
吸引口の近傍で、かつ吸引口と掻き取りパットで挟み込むようにブラシを配置したことを特徴とする請求項１に記載の空気調和機。
【請求項３】
吸引口の両サイドに、前記吸引口と掻き取りパットで挟み込むようにブラシを配置したことを特徴とする請求項１又は２に記載の空気調和機。
【発明の詳細な説明】
【技術分野】
【０００１】
本発明は、空気調和機に関するもので、特に、エアフィルターの清掃を自動的に行うようにした空気調和機に関するものである。
【背景技術】
【０００２】
従来、この種の空気調和機においては、熱交換器の前面に、空気調和機の本体内部へ埃が侵入することを防ぐためのエアフィルターが設けられており、このエアフィルターは、付着した塵埃を手で清掃できるように着脱自在に設けられていた。このようなエアフィルターは、頻繁なメンテナンスが必要となるだけでなく、メンテナンスが行われるまでの間には、エアフィルターが除々に目詰まりしていき、その結果、熱交換器を通過する風量が低下し、空調能力が低下して消費電力の増大につながる、といった問題があった。
【０００３】
そこで、エアフィルターのメンテナンスの手間を低減する目的で、略Ｌ型で、エアフィルターの表面に沿って左右に移動可能な吸入ノズルと、吸入ノズルのエアフィルター側の面に設けられエアフィルターに付着した塵埃を吸入する吸入口と、吸入口と連通し、吸入口を通して塵埃を吸引し、その吸引した塵埃を外部に排出する吸排気装置とを備え、定期的にエアフィルターを清掃することできるようにした空気調和機が提案されている（例えば、特許文献１参照）。
【特許文献１】特開２００４−２８３７０４号公報
【発明の開示】
【発明が解決しようとする課題】
【０００４】
しかしながら、上記特許文献１に開示されたような従来の空気調和機の構成では、エアフィルターの前面にＬ型の吸入ノズルを配し、その吸入ノズルを左右に駆動する構成のため構造が複雑になり、また吸入ノズルの寸法が長いため、塵埃を吸入する吸入口から、塵埃を吸引し排出する吸排気装置までの距離が長く且つ曲折したものとなり圧力損失が大きく、吸入風量の低下やコストの増大、また、動作音が大きくなるという課題があった。さらに、エアフィルターに油分の多く含んだ塵埃が付着した場合、確実に塵埃を掻き取ることができず、また、エアフィルターの湾曲部での塵埃を確実に吸入できないという課題があった。
【０００５】
本発明は、上記従来の課題を解決するもので、簡素な構成で、圧力損失、動作音が小さく、しかも、油分を多く含んだ塵埃も確実にエアフィルターから除去できる空気調和機を提供することを目的とする。
【課題を解決するための手段】
【０００６】
前記従来の課題を解決するために、本発明の空気調和機は、熱交換器と、前記熱交換器の上流側に配されたフィルター装置とを有する空気調和機において、前記フィルター装置は、巻取軸と、前記巻取軸の間に亘って張設されたエアフィルターと、前記巻取軸を駆動
するフィルター巻取駆動モーターと、前記エアフィルターの風上側に配され、水平方向に長手方向を持つと共に、前記エアフィルターに付着した塵埃を吸込む吸入ノズルを備え、前記吸入ノズル内に、前記吸入ノズルの長手方向に巻回駆動されるフィルムを設け、前記フィルムに、前記エアフィルターの塵埃を掻き取る埃掻き取りパットと、油分を多く含んだ塵埃を掻き取るブラシと、前記掻き取りパットと前記ブラシで掻き取った塵埃を吸込む吸引口を具備し、前記空気調和機の運転停止後に前記フィルムを巻回駆動して前記パットと前記ブラシを移動しながら掻き取った塵埃を前記吸引口に吸込ませ、前記フィルムを一旦停止させて、前記フィルター巻取駆動モーターを駆動して前記巻取軸により前記エアフィルターを巻き回して停止し、再び前記フィルムを巻回駆動して前記パットと前記ブラシを移動しながら掻き取った塵埃を前記吸引口に吸込ませる動作を繰り返し行い、前記エアフィルターの全面を自動で清掃するもので、吸入ノズルが水平方向に固定されて設けられ、吸入ノズルに沿って巻き回されるフィルムの駆動とエアフィルターの駆動を交互に行ってエアフィルター全面を自動で清掃することができる。
【発明の効果】
【０００７】
本発明の空気調和機は、空気調和機の基本性能を損なうことなく、簡素な構成で、圧力損失、動作音が小さく、しかも、油分を多く含んだ塵埃も確実にエアフィルターから自動的に除去できる空気調和機を提供することができる。
【発明を実施するための最良の形態】
【０００８】
第１の発明は、熱交換器と、前記熱交換器の上流側に配されたフィルター装置とを有する空気調和機において、前記フィルター装置は、巻取軸と、前記巻取軸の間に亘って張設されたエアフィルターと、前記巻取軸を駆動するフィルター巻取駆動モーターと、前記エアフィルターの風上側に配され、水平方向に長手方向を持つと共に、前記エアフィルターに付着した塵埃を吸込む吸入ノズルを備え、前記吸入ノズル内に、前記吸入ノズルの長手方向に巻回駆動されるフィルムを設け、前記フィルムに、前記エアフィルターの塵埃を掻き取る埃掻き取りパットと、油分を多く含んだ塵埃を掻き取るブラシと、前記掻き取りパットと前記ブラシで掻き取った塵埃を吸込む吸引口を具備し、前記空気調和機の運転停止後に前記フィルムを巻回駆動して前記パットと前記ブラシを移動しながら掻き取った塵埃を前記吸引口に吸込ませ、前記フィルムを一旦停止させて、前記フィルター巻取駆動モーターを駆動して前記巻取軸により前記エアフィルターを巻き回して停止し、再び前記フィルムを巻回駆動して前記パットと前記ブラシを移動しながら掻き取った塵埃を前記吸引口に吸込ませる動作を繰り返し行い、前記エアフィルターの全面を自動で清掃するもので、吸入ノズルが水平方向に固定されて設けられ、吸入ノズルに沿って巻き回されるフィルムの駆動とエアフィルターの駆動を交互に行ってエアフィルター全面を自動で清掃するので、構成が簡素化され、しかも、塵埃を吸引・排気するための吸引排気装置を設ける場合、吸入ノズルに直結できるので、圧力損失、動作音が小さくなり、しかも、油分を多く含んだ塵埃も確実にエアフィルターから自動的に除去することができる。
【０００９】
第２の発明は、特に、第１の発明の吸引口の近傍で、かつ吸引口と掻き取りパットで挟み込むようにブラシを配置したもので、油分の含んだ塵埃まで確実に掻き取る効果が得られる。さらに、空気調和機の基本性能を損なうことなくフィルターの自動清掃を実現することができる。
【００１０】
第３の発明は、特に、第１又は第２の発明の吸引口の両サイドに、前記吸引口と掻き取りパットで挟み込むようにブラシを配置したもので、油分の含んだ塵埃まで確実に掻き取る効果が得られる。さらに、空気調和機の基本性能を損なうことなくフィルターの自動清掃を実現することができる。
【００１１】
以下、本発明の実施の形態について、図面を参照しながら説明する。なお、この実施の形態によって本発明が限定されるものではない。
【００１２】
（実施の形態１）
図１は、本発明の実施の形態１における空気調和機の空気調和機本体の正面図、図２は、同空気調和機本体の断面図、図３は、同空気調和機のフィルター装置の斜視図、図４は、同フィルター装置の吸入ノズルの外観図、図５は、同吸入ノズルの部分斜視図である。
【００１３】
図１〜５において、本実施の形態における空気調和機の空気調和機本体１１（以下「本体１１」という）の内部には、熱交換器９と、送風機１０が配設されており、本体１１の前面から上面に渡って形成された複数の吸込口（図示せず）からは、送風機１０の動作により室内の空気が吸込まれ、空気中に漂う塵埃は、熱交換器９の上流側、より具体的には、前記吸込口と熱交換器９との間に設けたフィルター装置１で取り除かれる。
【００１４】
このフィルター装置１は、フィルター枠２と、帯状のエアフィルター４と、エアフィルター４の風上側に配され、水平方向に長手方向を持ちエアフィルター４に付着した塵埃を吸い込む吸入ノズル３と、吸入ノズル３の端部に連通すると共に、吸入ノズル３を通して塵埃を吸込み、排出する吸引排気装置５を具備している。
【００１５】
吸入ノズル３は、吸入ノズル３の長手方向に巻き回されたフィルム３ｄを内蔵し、フィルム３ｄには、フィルム３ｄの駆動方向と略直角をなす方向に長辺を有し、長方形の形状を有する箱型の凸形状をした吸引口３ａと、フィルム３ｄの駆動方向と略直角をなす方向に長辺を有すると共に、長方形の形状を有し油分を多く含んだ塵埃を掻き取るブラシ３ｂと、さらに、フィルム３ｄの駆動方向と略直角をなす方向に長辺を有すると共に、長方形の形状を有し塵埃を掻き取る埃掻き取りパット３ｃを設け、左右方向に移動可能にしたものである。また、フィルター枠２の両端には、エアフィルター４を巻き取る巻取軸８と、巻取軸８を回転駆動するフィルター巻取駆動モーター７を配設している。
【００１６】
以上のように構成されたフィルター装置１の動作について説明する。
【００１７】
空気調和機１１の運転停止後に、吸引排気装置５が運転開始し、エアフィルター４の片側端に位置していた箱型の凸形状をした吸引口３ａ及び油分を多く含んだ塵埃を掻き取るブラシ３ｂと埃掻き取りパット３ｃが、フィルム駆動モーター６によって、図４に示すようにＡの矢印方向に移動し、エアフィルター４の前部表面に付着した塵埃を、埃掻き取りパット３ｃで掻き取り、さらに油分を多く含んだ塵埃をブラシ３ｂで掻き取りながら箱型の凸形状をした吸引口３ａから吸取り、塵埃は、吸引排気装置５に吸入される。そして、箱型の凸形状をした吸引口３ａが、対向する片側端まで移動したときに、フィルム駆動モーター６を逆回転させれば、箱型の凸形状をした吸引口３ａは初期の位置に戻る。
【００１８】
ここで、フィルター巻取駆動モーター７が駆動し、巻取軸８により、エアフィルター４を巻き回し、埃の付着した部分を箱型の凸形状をした吸引口３ａに位置させ、再びフィルム駆動モーター６を駆動することにより、箱型の凸形状をした吸引口３ａ及び油分を多く含んだ塵埃を掻き取るブラシ３ｂと埃掻き取りパット３ｃが図２に示すようにＡの矢印方向に移動する。
【００１９】
再び、箱型の凸形状をした吸引口３ａが、対向する片側端まで移動したときに、フィルム駆動モーター６を逆回転させることにより、箱型の凸形状をした吸引口３ａは、初期の位置に戻る。以上の動作を繰り返すことにより、エアフィルター４の全面を自動で清掃することが可能となる。
【００２０】
以上のように、本実施の形態によれば、箱型の凸形状をした吸引口３ａ及び油分を多く含んだ塵埃を掻き取るブラシ３ｂと埃掻き取りパット３ｃにより、油分の含まない塵埃は、埃掻き取りパット３ｃで掻き取り、油分を多く含んだ塵埃は、ブラシ３ｂで掻き取られるため、塵埃を確実に掻き取る効果が得られる。さらに、空気調和機の基本性能を損なうことなくエアフィルター４の自動清掃を実現できる効果が得られる。
【００２１】
尚、本実施の形態では、図４、図５（ａ）に示すように、埃掻き取りパット３ｃを、吸引口３ａとで、ブラシ３ｂを挟み込むように配置している。これにより、油分の含まない塵埃は、埃掻き取りパット３ｃで掻き取られ、埃掻き取りパット３ｃで掻き取れなかった油分を多く含んだ塵埃は、ブラシ３ｂで掻き取られるため、塵埃を確実に掻き取る効果が得られる。さらに、空気調和機の基本性能を損なうことなくフィルターの自動清掃を実現できる効果が得られる。
【００２２】
又、図５（ｂ）に示すように、埃掻き取りパット３ｃを、吸引口３ａとで、油分を多く含んだ塵埃を掻き取るブラシ３ｂを挟み込むように配置し、さらに、吸引口３ａの近傍に配置した反対側にも同じように、埃掻き取りパット３ｃを、吸引口３ａとで、油分を多く含んだ塵埃を掻き取るブラシ３ｂを挟み込むように配置するようにすれば、塵埃をより確実に掻き取る効果が得られる。さらに、空気調和機の基本性能を損なうことなくフィルターの自動清掃を実現できる効果が得られる。
【産業上の利用可能性】
【００２３】
以上のように、本発明にかかる空気調和機は、簡素な構成でエアフィルターに付着した塵埃を自動で清掃することが可能となるので、空気清浄機などの塵埃を集塵するエアフィルターを装着した機器等の用途にも適用できる。
【図面の簡単な説明】
【００２４】
【図１】本発明の実施の形態１における空気調和機の空気調和機本体の正面図
【図２】同空気調和機本体の断面図（図１のＩ−Ｉ断面）
【図３】同空気調和機のフィルター装置の斜視図
【図４】同フィルター装置の吸入ノズルの外観図
【図５】（ａ）同吸入ノズルの部分斜視図（ｂ）他の例を示す吸入ノズルの部分斜視図
【符号の説明】
【００２５】
１  フィルター装置
２  フィルター枠
３  吸入ノズル
３ａ  吸引口
３ｂ  ブラシ
３ｃ  埃掻き取りパット
３ｄ  フィルム
４  エアフィルター
５  吸引排気装置
６  フィルム駆動モーター
７  フィルター巻取駆動モーター
８  巻取軸
９  熱交換器
１１  空気調和機本体（本体）
【図１】
0005061837.tif 000002
【図２】
0005061837.tif 000003
【図３】
0005061837.tif 000004
【図４】
0005061837.tif 000005
【図５】
0005061837.tif 000006